(57)【要約】【課題】野菜室の収納容器底面に溜まった塵芥や液体の排出が容易であり、且つ強度を向上した冷蔵庫を提供することを目的とする。【解決手段】野菜室３７を有する冷蔵庫本体３０と、野菜室３７に収納物を収納する下段容器６８と、この下段容器６８と共に前後に移動することで野菜室３７を開閉する引出扉３７Ａを備えた冷蔵庫において、下段容器６８はボトル入り飲料を立てた状態で収納する立て収納部７０を有し、この立て収納部７０の下段容器６８底面に取り外し可能な野菜室トレイ６９を備える。【選択図】  図３
2012154592.tif 000002
【特許請求の範囲】
【請求項１】
貯蔵室を有する冷蔵庫本体と、前記貯蔵室に収納物を収納する収納容器と、前記収納容器と共に前後に移動することで前記貯蔵室を開閉する引出扉を備えた冷蔵庫において、
前記収納容器はボトル入り飲料を立てた状態で収納する立て収納部を有し、該立て収納部の前記収納容器底面に取り外し可能な野菜室トレイを備えたことを特徴とする冷蔵庫。
【請求項２】
前記立て収納部の前記収納容器底面は下方に凸となる段差部を有し、前記野菜室トレイは、前記段差部に配置した状態で、前記引出扉が開閉された場合に前記ボトル入り飲料を立てた状態を維持するように位置規制することを特徴とする、請求項１記載の冷蔵庫。
【請求項３】
前記収納容器の上方に上段収納容器を備え、該上段収納容器は前方左寄りコーナー部又は前方右寄りコーナー部の一部に切り欠き部を有し、
前記段差部は前記切り欠き部の下方投影位置の前記収納容器前方左寄りコーナー部又は前方右寄りコーナー部に位置し、
前記収納容器の前壁と、右側壁又は左側壁と、前記切り欠き部で前記ボトル入り飲料を位置規制することを特徴とする、請求項２記載の冷蔵庫。
【請求項４】
前記野菜室トレイは、該野菜室トレイを前記収納容器から着脱操作する野菜室トレイ操作部を備えたことを特徴とする、請求項１乃至３のいずれかに記載の冷蔵庫。
【請求項５】
前記立て収納部は、ペットボトル入り飲料を左右に２本並べて収納可能な形状であることを特徴とする、請求項１乃至４のいずれかに記載の冷蔵庫。
【発明の詳細な説明】
【技術分野】
【０００１】
本発明は、冷蔵庫に関する。
【背景技術】
【０００２】
冷蔵庫の野菜室底面には、野菜を直接収納するという事情から、野菜屑や野菜に付着した泥などの細かいゴミや塵芥，液体等が溜まることがある。
【０００３】
この技術分野の背景技術として、特開２００３−１１４０８８号公報（特許文献１）がある。この公報には、「冷蔵庫本体の上部に冷蔵室、下部に冷凍室、冷蔵室と冷凍室の間に野菜室を各々備え、野菜室の前面に設けられた野菜室扉とともに引き出される野菜ケースと、この野菜ケースの底部に設けられた排水穴と、この排水穴を閉塞する排水栓と、を備え、野菜ケースを引き出したときに、野菜ケースの排水穴の下にバケツを置けるように野菜ケースを配設した。」ことが記載されている。
【０００４】
また、特開２００６−８４１２７号公報（特許文献２）には、「野菜貯蔵容器には軟質材料からなる野菜トレイが配置されており、野菜トレイを野菜貯蔵容器から取り出す際に、野菜トレイをゴミを包みこんだ包含形状、或いはゴミを挟んだ折畳み形状で取り出すことにより、野菜トレイ上のゴミをこぼすことなく、野菜トレイを野菜貯蔵容器から容易に取り出すことができる。」ことが記載されている。
【先行技術文献】
【特許文献】
【０００５】
【特許文献１】特開２００３−１１４０８８号公報
【特許文献２】特開２００６−８４１２７号公報
【発明の概要】
【発明が解決しようとする課題】
【０００６】
しかしながら、特許文献１記載の構成では、野菜ケースに排水穴を設けることで強度が低下する。さらに、排水を受ける容器（バケツ）を別途用意しなければならず、使い勝手が劣る。
【０００７】
また、特許文献２記載の構成では、収納した野菜を貯蔵室外に取り出してから野菜トレイを取り外さなければならず、この動作中に貯蔵した野菜の品質が低下する。
【０００８】
そこで本発明は、野菜室の収納容器底面に溜まった塵芥や液体の排出が容易であり、且つ強度を向上した冷蔵庫を提供することを目的とする。
【課題を解決するための手段】
【０００９】
上記課題を解決するために、例えば特許請求の範囲に記載の構成を採用する。その一例として、貯蔵室を有する冷蔵庫本体と、前記貯蔵室に収納物を収納する収納容器と、前記収納容器と共に前後に移動することで前記貯蔵室を開閉する引出扉を備えた冷蔵庫において、前記収納容器はボトル入り飲料を立てた状態で収納する立て収納部を有し、該立て収納部の前記収納容器底面に取り外し可能な野菜室トレイを備える。
【発明の効果】
【００１０】
この発明によれば、野菜室の収納容器底面に溜まった塵芥や液体の排出が容易であり、且つ強度を向上した冷蔵庫を提供することができる。
【図面の簡単な説明】
【００１１】
【図１】本発明の一実施形態を示す冷蔵庫の縦断面図である。
【図２】図１の冷蔵庫の扉と容器を除いて内部を示す正面図である。
【図３】野菜室の収納容器の分解斜視図である。
【図４】野菜室トレイの斜視図である。
【図５】野菜室トレイの別の実施形態の斜視図である。
【図６】野菜室トレイの別の実施形態の斜視図である。
【発明を実施するための形態】
【００１２】
以下、本発明の一実施形態の冷蔵庫について、図１から図６を参照しながら説明する。
【００１３】
まず、図１及び図２を参照しながら、本実施形態の冷蔵庫の全体構成に関して説明する。図１は本発明の一実施形態を示す冷蔵庫の縦断面図、図２は図１の冷蔵庫の扉と容器を除いて内部を示す正面図である。
【００１４】
この冷蔵庫本体３０は、上から順に、冷蔵温度室３５の一つを形成する冷蔵室３６，冷凍温度室３１，冷蔵温度室３５の他の一つを形成する野菜室３７を備えている。
【００１５】
冷凍温度室３１は、その上部に、急速冷凍容器４１を設けた急速冷凍室３２と、急速冷凍室３２の横に並置した製氷室３３と、急速冷凍室３２及び製氷室３３の下方に配置された冷凍室３４とから構成される。
【００１６】
冷蔵室３６には、片開き又は両開きの扉３６Ａが設けられている。また、急速冷凍室３２，製氷室３３，冷凍室３４，野菜室３７には、引出扉３２Ａ，３３Ａ，３４Ａ，３７Ａが設けられている。
【００１７】
冷凍室３４は、図１に示すように、その背部に、冷却器６１を有する冷却器室６２を仕切部材５０により区画形成してあり、仕切部材５０には冷気通路５０ａが設けてある。冷凍室３４内には、上にゆく程、その容器深さを浅くし且つ傾斜面４３ａ，４２ａを緩やかにし且つ横幅を広くした３段重ねの上段容器４２，中段容器４３、及び下段容器４４を備えている。
【００１８】
上段容器４２内は、仕切部材５０の冷気通路５０ａと連通した吐出口５２ａより吐出された冷気により所定の温度に冷却するように構成してある。吐出口５２ａは、急速冷凍室３２と冷凍室３４とを区画する横仕切３９の後方投影面内で、且つ、仕切部材５０に設けた冷気吐出ダクト５２の庫内側に設けてある。換言すれば、冷凍室３４の上段容器４２内は、冷凍室３４とその上方に設けた急速冷凍室３２とを区画する横仕切３９のために、デッドスペースとなった部分を有効活用して設けた冷気吐出ダクトの吐出口５２ａより吐出された冷気により所定の温度に冷却するように構成してある。
【００１９】
また、上段容器４２は、その背壁をその下段側容器（中段容器）４３の上面開口に臨む傾斜面４２ａと成している。傾斜面４２ａに対向させて冷気吐出ダクト５３の吐出口５３ａを設け、吐出口５３ａより吐出された冷気を、傾斜面４２ａを利用して中段容器４３内に導いて、中段容器４３内を所定の温度に冷却するように構成してある。
【００２０】
中段容器４３は、その背壁をその下段側容器（下段容器）４４の上面開口に臨む傾斜面４３ａと成している。傾斜面４３ａに対向させて冷気吐出ダクトの吐出口５４ａを設け、吐出口５４ａより吐出された冷気を、傾斜面４３ａを利用して矩形状の下段容器４４内に導いて、矩形状下段容器４４内を所定の温度に冷却するように構成してある。
【００２１】
冷凍室３４の庫内形状は、矩形状の下段容器４４が設置できるように、ほぼ矩形状に形成してある。つまり、冷却器室６２の下方又は上方に設けた圧縮機６５等を設置する機械室６６を構成する立上り壁面６６ａが、冷凍室庫内に突出しないように構成してある。例えば、冷凍室内に突出した立上り壁面を形成しないように、冷凍室３４の背部は、ほぼ矩形状を成す冷却器室６２に対応するように構成してある。本実施形態では、冷蔵庫本体３０の背面側底部（又は背面側上部）に機械室６６を形成し、機械室６６の前方に冷蔵温度室３５（野菜室３７又は冷蔵室３６）を配置し、機械室６６の上方（又は下方）に冷凍室３１を配置している。
【００２２】
矩形状の下段容器４４の背面壁４４ｄを、機械室６６を構成する立上り壁面６６ａより、図１に示すように、δ２寸法だけ箱体背面側、つまり、冷却器室６２側に位置させることにより、下段容器４４内に冷気を吐出する冷気吐出ダクト５４の長さ寸法を、従来よりも短くできる構成にしてある。
【００２３】
冷凍室底面３４ａは、ほぼ水平に設けた矩形状の下段容器４４下面との間に冷凍室全体の戻り冷気通路３４ｃを形成しており、冷気通路３４ｃの高さ位置は、冷却器下面６１ａとほぼ同一の高さに成るように構成してある。
【００２４】
送風機６３は冷却器室６２にて生成した冷気を、冷凍温度室３１，冷蔵室３６，野菜室３７等に強制循環する。
【００２５】
次に、上記構成における冷却動作について説明する。
【００２６】
冷却器室６２により生成された冷気は、送風機６３の運転により、図１に示すように、仕切部材５０の冷気通路５０ａ内に吐出される。冷気通路５０ａ内に吐出された冷気は、仕切部材５０内で冷凍温度室冷却用冷気と冷蔵温度室冷却用冷気とに分流される。以下、冷蔵室３６と野菜室３７を纏めて表現するときは冷蔵温度室３５と表す。
【００２７】
冷凍温度室冷却用冷気は、仕切部材５０に設けられた冷気吐出ダクト５１，５２，５３，５４のそれぞれの吐出口５１ａ，５２ａ，５３ａ，５４ａより容器４１，４２，４３，４４内に吐出されて、容器内を所定の温度に冷却する。
【００２８】
冷凍温度室３１内の複数の容器４１，４２，４３，４４内を所定の温度に冷却した冷気は、各容器４１，４２，４３，４４の前壁にそれぞれ設けられた通風路４１ｆ，４２ｆ，４３ｆ，４４ｆを通って降下して、冷凍室底面３４ａ上に設けられた冷凍室の戻り冷気通路３４ｃを通り、仕切部材５０の下方に設けられた吸込口３４ｄを通って冷却器室６２に戻る。
【００２９】
一方、仕切部材５０内で分流された冷蔵温度室冷却用冷気は、冷気通路５０ａと連通するダンパー装置６４を通り、ダンパー装置６４によりその流量を制御されて、図２に示すように、冷蔵室冷気通路３６ａと冷蔵室冷気通路３６ａから分岐する野菜室冷気通路３７ａとに分流する。
【００３０】
冷蔵室冷気通路３６ａを通った冷気は、図１に示すように、冷蔵室吐出口３６ｂから吐出されて、冷蔵室３６内を所定の温度に冷却する。冷蔵室３６内を所定の温度に冷却した冷気は、横仕切３８に設けた冷蔵室冷気帰還路３６ｃを通り、図２に示すように、仕切部材５０に設けた冷蔵室冷気帰還路３６ｄを通って冷蔵室冷気戻り口３６ｅより冷却室６２に戻る。
【００３１】
野菜室冷気通路３７ａに分流された冷気は、図２に示すように、仕切部材５０に設けた野菜室冷気通路３７ａ，３７ｂを降下して、野菜室吐出口３７ｃから吐出されて、野菜室３７内を所定の温度に冷却する。野菜室３７内を所定の温度に冷却した冷気は、横仕切４０に設けた野菜室冷気帰還路３７ｄを通って冷却室６２に戻る。
【００３２】
次に、図３及び図４を参照しながら、野菜室３７の具体的構成について説明する。
【００３３】
野菜室３７の下段容器６８は、その側面外側に設けられたローラ（図示せず）を野菜室３７側壁に設けられた野菜室レール（図示せず）に乗せ、前後に移動可能に備えられている。下段容器６８の上部には、上段容器６７が配置される。上段容器６７は、下段容器６８の左右側壁上部のフランジ部６８ａに載置されて、下段容器６８に対して前後に移動可能である。
【００３４】
上段容器６７は、下段容器６８よりも浅く構成されており、上段容器６７は果物やアスパラなどの小物野菜を貯蔵するのに便利であり、下段容器６８はキャベツや白菜など大物野菜を貯蔵するのに便利である。すなわち、上段容器６７に小さな野菜を整理して収納でき、下段容器６８に大きな野菜を丸ごと収納することで、大きさや硬さの異なる野菜同士の干渉を抑制して、収納性能を向上できる。なお、下段容器６８及び上段容器６７は、樹脂で成形されており、収納物の荷重に耐える強度を備えている。
【００３５】
下段容器６８の底面の前方角部（左寄りコーナー部又は右寄りコーナー部）には、ペットボトル入り飲料や紙パック入り飲料を立てた状態で収納できる立て収納部７０が設けられている。立て収納部７０の下段容器６８底面上には、取り外し可能な野菜室トレイ６９を備える。
【００３６】
さらに、立て収納部７０の下段容器６８底面は、下方に凸となる段差部６８ｂを有する。段差部６８ｂは、下段容器６８の前壁に対向する立ち上がり部６８ｂ１と、側壁に対向する立ち上がり部６８ｂ２とを有する。本実施例では、立て収納部７０の下段容器６８底面の段差部６８ｂの四角形状の領域に、取り外し可能な野菜室トレイ６９を備えた構成である。
【００３７】
野菜室トレイ６９は、段差部６８ｂに係止する四角形状であって、野菜室トレイ６９を段差部６８ｂに配置した状態で、引出扉３７Ａが開閉された場合にボトル入り飲料を立てた状態を維持するように収納可能である。ボトル入り飲料は、ボトル入り飲料の外形寸法に合わせた段差部６８ｂによって位置規制されるため、引出扉３７Ａの開閉動作による転倒を防止できる。さらに、立て収納部７０は、下段容器６８底面上に野菜室トレイ６９を配置しているので、ボトル入り飲料の集中荷重に耐えるように、下段容器６８の強度を向上することができる。
【００３８】
立て収納部７０は、例えば、一般的な２リットルのペットボトル入り飲料を２本横に並べて収納可能な寸法とする。ボトル入り飲料を引出扉３７Ａ側に横に立てた状態で並べることにより、引出扉３７Ａの引き出し量を大きく取らずに、ボトル入り飲料を出し入れ可能であるため、使い勝手が向上する。
【００３９】
下段容器６８の上方の上段容器６７は、前方角部（左寄りコーナー部又は右寄りコーナー部）の一部に切り欠き部６７ａを有する。切り欠き部６７ａは、下段容器６８の前壁に対向する立ち上がり部６７ａ１と、側壁に対向する立ち上がり部６７ａ２とを有する。
【００４０】
また、段差部６８ｂは、切り欠き部６７ａの下方投影位置の収納容器前方角部（左寄りコーナー部又は右寄りコーナー部）に位置している。これにより、下段容器６８の前壁と、右側壁又は左側壁と、切り欠き部６７ａでボトル入り飲料の動きを規制している。
【００４１】
ここで、下段容器６８底面には野菜を直接収納するという事情から、野菜に付着した泥や野菜屑などのゴミや塵芥，液体が溜まりやすい。また、冷蔵庫の大型化に伴い、野菜室３７の下段容器６８も大型化しているため、下段容器６８の取り外し作業は困難である。また、下段容器６８を取り出す際には、収納されている野菜も取り出さなければならず、その間に野菜の品質が低下するおそれがある。
【００４２】
そこで、本実施例では、下段容器６８の底部に下に凸となる段差部６８ｂを有する立て収納部７０を設けることで、この段差部６８ｂ内（立て収納部７０底面）に塵芥や液体を集中的に溜めることができる。さらに、立て収納部７０底面に、取り外し自在な野菜室トレイ６９を配置することで、そこに溜まった塵芥や液体は、野菜室トレイ６９を外すだけで容易に除去することができる。
【００４３】
また、本実施の形態では、図４に示すように、野菜室トレイ６９に野菜室トレイ操作部６９ａを備える。野菜室トレイ操作部６９ａは爪状をなしており、使用者が指でつかんで操作できる形状である。その配置としては、図４に示す野菜室トレイ６９内方に向かって突出させるものの他、図５や図６に示す野菜室トレイ６９外方に突出させるものであってもよく、使用者が操作容易な形状・配置であればよい。
【００４４】
そして、野菜室トレイ６９を段差部６８ｂから取り外す際に、野菜室トレイ操作部６９ａを使用者が操作することで、野菜室トレイ６９を容易に取り出すことができる。
【００４５】
以上より、本実施の形態によれば、野菜室３７の下段容器６８底部に溜まった野菜屑や野菜に付着した泥などのゴミを野菜室トレイ６９に集めることにより、下段容器６８に収納した野菜を取り出すことなく、野菜室トレイ６９が配置してある立て収納部７０に収納したボトル飲料のみを取り出すだけで清掃することができ、野菜室３７の温度管理・保管の上で優れている。また、野菜室トレイ６９を立て収納部７０底面に配置することにより、ボトル入り飲料による集中荷重に耐えるように、下段容器６８の強度を向上することができる。
【符号の説明】
【００４６】
３０  冷蔵庫本体
３７  野菜室
６７  上段容器
６７ａ  切り欠き部
６８  下段容器
６８ｂ  段差部
６９  野菜室トレイ
６９ａ  野菜室トレイ操作部
７０  立て収納部
【図１】
2012154592.tif 000003
【図２】
2012154592.tif 000004
【図３】
2012154592.tif 000005
【図４】
2012154592.tif 000006
【図５】
2012154592.tif 000007
【図６】
2012154592.tif 000008